(57)【要約】【課題】下外装材上端部への水切り板の設置を簡素な構造で施工容易に行っていくことができる、上下の外装材間の止水構造を提供する。【解決手段】下向き開放の断面コ字状水切り板３が、左右方向に隣り合う下外装材１，１の上端部に渡すように、中間板部１２を下外装材１の上端面に対向させ、中間板部１２を挟む両側の板部１３，１４で下外装材１を前後方向から挟むように嵌合され、該水切り板３の中間板部１２と下外装材１の上端面との間に介設された圧縮状態の第１乾式止水材４と、該中間板部１２と上外装材２の下端面との間に介設された圧縮状態の第２乾式止水材５とによって、上下の外装材１，２間が止水されている。【選択図】      図１
2009052216.tif 000002
【特許請求の範囲】
【請求項１】
下向き開放の断面コ字状水切り板が、左右方向に隣り合う下外装材の上端部に渡すように、中間板部を下外装材の上端面に対向させ、中間板部を挟む両側の板部で下外装材を前後方向から挟むように嵌合され、該水切り板の中間板部と下外装材の上端面との間に介設された圧縮状態の第１乾式止水材と、該中間板部と上外装材の下端面との間に介設された圧縮状態の第２乾式止水材とによって、上下の外装材間が止水されていることを特徴とする上下の外装材間の止水構造。
【発明の詳細な説明】
【技術分野】
【０００１】
本発明は、上下の外装材間の止水構造に関する。
【背景技術】
【０００２】
建物に用いられる上下の外装材間の止水構造として、水切り板が、左右方向に隣り合う下外装材の上端部に渡すように配置され、該水切り板と下外装材の上端面との間に介設された圧縮状態の第１乾式止水材と、該水切り板と上外装材の下端面との間に介設された圧縮状態の第２乾式止水材とによって、上下の外装材間を止水するようにしたものは、従来より提供されている。
【０００３】
この止水構造によれば、左右方向に隣り合う外装材に上下方向の位置ずれがあっても、左右方向に隣り合う下外装材の上端部に渡すように配置された水切り板と圧縮状態の第１，第２の乾式止水材がそれを吸収して、上下の外装材間にしっかりとした止水状態を形成することができる。
【特許文献１】特開２００１−０１１９５７号公報
【発明の開示】
【発明が解決しようとする課題】
【０００４】
しかしながら、従来構造では、水切り板を、左右方向に隣り合う下外装材の上端部に渡した配置状態に保持するために、水切り板とは別に用意された保持金物を使用し、該保持金物を用いて水切り板を下外装材の上端部に保持させなければならず、下外装材上端部への水切り板の設置に手間を要すると共に、水切り板設置のための構造も複雑なものになってしまうという問題があった。
【０００５】
本発明は、上記のような問題点に鑑み、下外装材上端部への水切り板の設置を簡素な構造で施工容易に行っていくことができる、上下の外装材間の止水構造を提供することを課題とする。
【課題を解決するための手段】
【０００６】
上記の課題は、下向き開放の断面コ字状水切り板が、左右方向に隣り合う下外装材の上端部に渡すように、中間板部を下外装材の上端面に対向させ、中間板部を挟む両側の板部で下外装材を前後方向から挟むように嵌合され、該水切り板の中間板部と下外装材の上端面との間に介設された圧縮状態の第１乾式止水材と、該中間板部と上外装材の下端面との間に介設された圧縮状態の第２乾式止水材とによって、上下の外装材間が止水されていることを特徴とする上下の外装材間の止水構造によって解決される。
【０００７】
この構造では、水切り板が下向き開放の断面コ字状をしていて、該水切り板を、下外装材の上端部に対し、中間板部を下外装材の上端面に対向させ、中間板部を挟む両側の板部で下外装材を前後方向から挟むように嵌合すれば、該水切り板は下外装材上端部に保持されて設置状態を得られ、そのため、水切り板保持用の保持金物を別途に用意する必要がなく、下外装材上端部への水切り板の設置を、簡素な構造で、施工容易に行っていくことができる。
【発明の効果】
【０００８】
本発明は、以上のとおりのものであるから、下外装材上端部への水切り板の設置を簡素な構造で施工容易に行っていくことができる。
【発明を実施するための最良の形態】
【０００９】
次に、本発明の実施最良形態を図面に基づいて説明する。
【００１０】
図１〜図３に示す実施形態の止水構造において、１，１は左右方向に隣り合う下外装材、２，２は上外装材、３は水切り板、４は第１乾式止水材、５は第２乾式止水材である。
【００１１】
上外装材２，２は、階上の外壁パネル６，６の外装材からなり、外壁パネル６は、上外装材２の背後に通気層７を介してグラスウールボード等による断熱板８が備えられ、通気層７は、上外装材２と断熱板８との間に縦胴縁９を左右方向に間隔的に配置して形成されたものである。
【００１２】
下外装材１，１は、図示しない階下の外壁パネルの外装材と、上記の階上外壁パネル６の上外装材２との間に介設されて建物の胴差部をカバーする胴差部用の外装材からなっている。なお、この下外装材１には、その背面部に金属板１０が一体的に設けられ、上外装材２の背面部に備えられた縦胴縁９を下方に延長するための延長縦胴縁９ａが該金属板１０の上方突出部を利用してビス１１で取り付けられている。
【００１３】
水切り板３は、下向き開放の断面コ字状をしており、中間板部１２を下外装材１の上端面に対向させ、中間板部１２を挟む両側の板部１３，１４で、下外装材１を延長胴縁９ａ部分を含んで前後方向から挟むように嵌合することができるようになされており、図３（ロ）に示すように、中間板部１２の後ろ半部には階上側の通気層７を階下側の通気層と連続させるための開口１５…が設けられている。
【００１４】
第１，第２の乾式止水材４，５は、エプトシーラー等の独立気泡のスポンジ状止水材などの、弾力性を備えた止水材からなっているとよい。
【００１５】
施工は、図２（イ）（ロ）に示すように、上記の下外装材１を左右方向に隣り合うように施工した後、それらの上端面に第１乾式止水材４をこれら下外装材１に渡すように取り付け、そして、図２（ロ）（ハ）に示すように、水切り板３を、左右方向に隣り合う下外装材１の上端部に渡すように嵌合する。この嵌合によって、水切り板３は、下外装材１の上端部に自ら保持される。
【００１６】
しかる後、図２（ハ）及び図３（イ）に示すように、水切り板３の中間板部１２の上面部に第２乾式止水材５を取り付け、図１（ハ）に示すように、階上外壁パネル６の建方を行い、上外装材２を降ろしていくことで、第１，第２の乾式止水材４，５を、水切り板３の中間板部１２と下外装材１の上端面との間、及び、該中間板部１２と上外装材２の下端面との間で圧縮状態にする。こうして、上下の外装材１，２間は止水状態になる。なお、仕上げとして、図３（ハ）に示すように、外装水切り１６を設けるようにしてもよい。
【００１７】
このように、上記の止水構造によれば、左右方向に隣り合う外装材に上下方向の位置ずれがあっても、左右方向に隣り合う下外装材１，１の上端部に渡すように配置した水切り板３と圧縮状態の第１，第２の乾式止水材４，５がそれを吸収して、上下の外装材１，２間にしっかりとした止水状態を形成することができる。
【００１８】
しかも、水切り板３は、下向き開放の断面コ字状をしていて、下外装材１の上端部に嵌合すれば、下外装材１の上端部に自ら保持されて設置状態を得ることができ、そのため、従来のように水切り板保持用の保持金物を別途に用意する必要はなく、下外装材１上端部への水切り板３の設置を、簡素な構造で、施工容易に行っていくことができる。
【００１９】
以上に、本発明の実施形態を示したが、本発明はこれに限られるものではなく、発明思想を逸脱しない範囲で各種の変更が可能である。例えば、上記の実施形態では、下外装材１が、胴差部用の外装材である場合を示したが、本発明は、階上外壁パネルの外装材を上外装材とし、該外装材の下端部を、胴差部をカバーする高さ位置まで下方に延長し、階下の外壁パネルの外装材を下外装材として、これら上下の外装材間を止水するための構造など、各種の上下外装材間の止水構造に適用することができるものである。
【００２０】
また、上記の実施形態では、下外装材１の上端面に第１乾式止水材４を取り付け、水切り板３を下外装材１の上端部に嵌合し、水切り板３の中間板部１２の上面部に第２乾式止水材５を取り付けるという手順で、第１，第２の乾式止水材４，５の設置を行うようにした場合を示したが、第１及び／又は第２の乾式止水材４，５を予め水切り板３に取り付け、水切り板３の嵌合設置により、第１及び／又は第２の乾式止水材４，５も設置完了となるようにしてもよい。
【図面の簡単な説明】
【００２１】
【図１】実施形態の止水構造を示すもので、図（イ）は正面図、図（ロ）は断面側面図、図（ロ）は、上外装材を設置する前の状態を示す断面側面図である。
【図２】図（イ）〜図（ハ）は、図３（イ）と共に、施工方法を順次に示す端面側面図である。
【図３】図（イ）は図２（イ）〜（ハ）と共に、施工方法を順次に示す断面側面図、図（ロ）は水切り板の斜視図、図（ハ）は仕上げ状態の一例を示す断面側面図である。
【符号の説明】
【００２２】
１…下外装材
２…上外装材
３…水切り板
４…第１乾式止水材
５…第２乾式止水材
１２…中間板部
１２…該中間板部
１３…側板部
１４…側板部
【図１】
2009052216.tif 000003
【図２】
2009052216.tif 000004
【図３】
2009052216.tif 000005